(57)【要約】 【課題】一方の基板側に行電極対と列電極の双方が配置されるＰＤＰにおいて、アドレス放電の誤放電が発生するのを防止する。【解決手段】放電空間を介して背面ガラス基板１３に対向する前面ガラス基板１０側に行電極対（Ｘ１，Ｙ１）と列電極Ｄ１の双方が形成されているＰＤＰにおいて、列電極Ｄ１が、行電極Ｙの行方向に隣接する透明電極Ｙ１ｂ間の中間位置に対向しているとともに、アドレス放電を発生させる相手の透明電極Ｙ１ｂ側に、列電極Ｄ１を挟んで反対側に位置する他の透明電極Ｙ１ｂ側よりも近接した位置に配置されている。【選択図】図５
2006302866.tif 000002
【特許請求の範囲】
【請求項１】
放電空間を介して互いに対向する一対の基板と、この一対の基板のうちの一方の基板側に配置されて行方向に延びるとともに列方向に並設された複数の行電極対および列方向に延びるとともに行方向に並設された複数の列電極とを備え、放電空間内に行電極対および列電極によってそれぞれ放電が行われる複数の単位発光領域がマトリクス状に形成されているプラズマディスプレイパネルにおいて、
前記行電極対を構成する互いに対になった各行電極が、単位発光領域毎にそれぞれに対応して配置されて互いに放電ギャップを介して対向される放電部を有し、
前記列電極が、行電極の行方向に隣接する放電部の間の中間位置に対向するとともに、この列電極の放電発生の相手となる放電部側に、この放電発生の相手の放電部と反対側に位置する他の放電部側よりも近接した位置に配置されていることを特徴とするプラズマディスプレイパネル。
【請求項２】
前記行電極対を構成する互いに対になった行電極が、それぞれ、行方向に延びる電極本体部と、この電極本体部に沿って並設されて対になっている他方の行電極側に突出して放電ギャップを介して互いに対向される複数の電極突出部とを有し、
前記放電部が行電極の電極突出部によって構成されている請求項１に記載のプラズマディスプレイパネル。
【請求項３】
前記列電極が、行電極の各単位発光領域に対応して配置されて行方向に隣接する放電部の間の中間位置に対向する位置において列方向に延びる列電極本体部と、この列電極本体部から行方向に延びて放電部間の放電ギャップに対向される列電極放電部とを有し、
前記列電極本体部が、放電発生の相手となる放電部側に、この放電発生の相手の放電部と反対側に位置する他の放電部側よりも近接する位置に配置されている請求項１に記載のプラズマディスプレイパネル。
【請求項４】
前記一対の基板の間に形成されて、少なくとも列方向に延びて放電空間内の行方向において隣接する単位発光領域の間を仕切る縦壁部を有する隔壁を備え、
前記列電極が、隔壁の縦壁部に基板の厚さ方向において対向する範囲内に配置されている請求項１に記載のプラズマディスプレイパネル。
【請求項５】
前記一対の基板の間に形成されて、少なくとも列方向に延びて放電空間内の行方向において隣接する単位発光領域の間を仕切る縦壁部を有する隔壁を備え、
前記列電極が、単位発光領域の隔壁の縦壁部と行電極の放電部の間の部分に対向する範囲内に配置されている請求項１に記載のプラズマディスプレイパネル。
【請求項６】
放電空間を介して互いに対向する一対の基板と、この一対の基板のうちの一方の基板側に配置されて行方向に延びるとともに列方向に並設された複数の行電極対および列方向に延びるとともに行方向に並設された複数の列電極とを備え、放電空間内に行電極対および列電極によってそれぞれ放電が行われる複数の単位発光領域がマトリクス状に形成され、一対の基板の間に、少なくとも列方向に延びて放電空間内の行方向において隣接する単位発光領域の間を仕切る縦壁部を有する隔壁が形成されたプラズマディスプレイパネルにおいて、
前記行電極対を構成する互いに対になった各行電極が、単位発光領域毎にそれぞれに対応して配置されて互いに放電ギャップを介して対向される放電部を有し、
前記列電極が、行電極の行方向に隣接する放電部の間の中間位置に対向する位置に配置され、
前記隔壁の縦壁部が、この列電極の放電発生の相手となる放電部側からこの放電発生の相手の放電部と反対側に位置する他の放電部側よりも離間した位置に配置されていることを特徴とするプラズマディスプレイパネル。
【請求項７】
前記行電極対を構成する互いに対になった行電極が、それぞれ、行方向に延びる電極本体部と、この電極本体部に沿って並設されて対になっている他方の行電極側に突出して放電ギャップを介して互いに対向される複数の電極突出部とを有し、
前記放電部が行電極の電極突出部によって構成されている請求項６に記載のプラズマディスプレイパネル。
【請求項８】
前記列電極が、行電極の各単位発光領域に対応して配置されて行方向に隣接する放電部の間の中間位置に対向する位置において列方向に延びる列電極本体部と、この列電極本体部から行方向に延びて放電部間の放電ギャップに対向される列電極放電部とを有し、
前記隔壁の縦壁部が、列電極の列電極本体部に対して基板の厚さ方向において対向される範囲内に配置されている請求項６に記載のプラズマディスプレイパネル。
【請求項９】
前記隔壁の縦壁部が、列電極とこの列電極の放電発生の相手の放電部と反対側に位置する他の放電部との間に対向する位置に配置されている請求項６に記載のプラズマディスプレイパネル。
【請求項１０】
放電空間を介して互いに対向する一対の基板と、この一対の基板のうちの一方の基板側に配置されて行方向に延びるとともに列方向に並設された複数の行電極対および列方向に延びるとともに行方向に並設された複数の列電極とを備え、放電空間内に行電極対および列電極によってそれぞれ放電が行われる複数の単位発光領域がマトリクス状に形成されているプラズマディスプレイパネルにおいて、
前記行電極対が一方の基板の背面側に形成された誘電体層によって被覆され、この行電極対を構成する互いに対になった各行電極が、単位発光領域毎にそれぞれに対応して配置されて互いに放電ギャップを介して対向される放電部を有し、
前記列電極が、行電極対を被覆する誘電体層の背面側において、行電極の行方向に隣接する放電部の間の中間位置に対向する位置に配置され、
前記行電極対を被覆する誘電体層の背面側に、この誘電体層から他方の基板側に突出するとともに列方向に延びて列電極を被覆する誘電体嵩上げ部が形成され、
この誘電体嵩上げ部が、被覆している列電極の放電発生の相手となる放電部側からこの放電発生の相手の放電部と反対側に位置する他の放電部側よりも離間した位置に配置されていることを特徴とするプラズマディスプレイパネル。
【請求項１１】
前記行電極対を構成する互いに対になった行電極が、それぞれ、行方向に延びる電極本体部と、この電極本体部に沿って並設されて対になっている他方の行電極側に突出して放電ギャップを介して互いに対向される複数の電極突出部とを有し、
前記放電部が行電極の電極突出部によって構成されている請求項１０に記載のプラズマディスプレイパネル。
【請求項１２】
前記列電極が、行電極の行方向に隣接する放電部の間の中間位置に対向する位置において列方向に延びる列電極本体部と、この列電極本体部から行方向に延びて放電部間の放電ギャップに対向される列電極放電部とを有し、
前記列電極本体部が、誘電体嵩上げ部によって被覆されている請求項１０に記載のプラズマディスプレイパネル。
【請求項１３】
前記一対の基板の間に形成されて、少なくとも列方向に延びて放電空間内の行方向において隣接する単位発光領域の間を仕切る縦壁部を有する隔壁を備え、
この隔壁の縦壁部に誘電体嵩上げ部が当接されている請求項１０に記載のプラズマディスプレイパネル。
【請求項１４】
放電空間を介して互いに対向する一対の基板と、この一対の基板のうちの一方の基板側に配置されて行方向に延びるとともに列方向に並設された複数の行電極対および列方向に延びるとともに行方向に並設された複数の列電極と、この行電極対および列電極を互いに離間した状態で被覆する誘電体層とを備え、放電空間内に行電極対および列電極によってそれぞれ放電が行われる複数の単位発光領域がマトリクス状に形成されているプラズマディスプレイパネルにおいて、
前記行電極対が一方の基板の背面側に形成された誘電体層によって被覆され、この行電極対を構成する互いに対になった各行電極が、単位発光領域毎にそれぞれに対応して配置されて互いに放電ギャップを介して対向される放電部を有し、
前記列電極が、行電極対を被覆する誘電体層の背面側において、行電極の各単位発光領域に対応してそれぞれ配置されて行方向に隣接する放電部の間の中間位置に対向する位置に配置され、
前記行電極対を被覆する誘電体層の背面側に、この誘電体層から他方の基板側に突出するとともに列方向に延びる誘電体嵩上げ部が形成され、
この誘電体嵩上げ部が、列電極とこの列電極の放電発生の相手となる放電部に対して反対側に位置する他の放電部との間に対向する位置に配置されていることを特徴とするプラズマディスプレイパネル。
【請求項１５】
前記行電極対を構成する互いに対になった行電極が、それぞれ、行方向に延びる電極本体部と、この電極本体部に沿って並設されて対になっている他方の行電極側に突出して放電ギャップを介して互いに対向される複数の電極突出部とを有し、
前記放電部が行電極の電極突出部によって構成されている請求項１４に記載のプラズマディスプレイパネル。
【請求項１６】
前記列電極が、行電極の行方向に隣接する放電部の間の中間位置に対向する位置において列方向に延びる列電極本体部と、この列電極本体部から行方向に延びて放電部間の放電ギャップに対向される列電極放電部とを有し、
前記誘電体嵩上げ部が、列電極の列電極本体部とこの列電極の放電発生の相手となる放電部に対して反対側に位置する他の放電部との間に対向する位置に配置されている請求項１４に記載のプラズマディスプレイパネル。
【請求項１７】
前記一対の基板の間に形成されて、少なくとも列方向に延びて放電空間内の行方向において隣接する単位発光領域の間を仕切る縦壁部を有する隔壁を備え、
この隔壁の縦壁部に誘電体嵩上げ部が当接されている請求項１４に記載のプラズマディスプレイパネル。
【請求項１８】
前記一対の基板の間に少なくとも列方向に延びるように形成されて放電空間内の行方向において隣接する単位発光領域の間を仕切る縦壁部を有する隔壁と、行電極対を被覆する誘電体層と、この誘電体層から他方の基板側に突出するとともに列方向に延びるように形成された誘電体嵩上げ部をさらに備え、
前記列電極が、誘電体層の背面の基板の厚さ方向において隔壁の縦壁部に対向する範囲から列電極の放電発生の相手となる放電部側の縁部が単位発光領域に対向する範囲内に張り出す位置に配置されているとともに、誘電体嵩上げ部によって被覆されている請求項１に記載のプラズマディスプレイパネル。
【請求項１９】
前記誘電体嵩上げ部の一部が、隔壁の縦壁部に当接されている請求項１８に記載のプラズマディスプレイパネル。
【請求項２０】
前記一対の基板の間に少なくとも列方向に延びるように形成されて放電空間内の行方向において隣接する単位発光領域の間を仕切る縦壁部を有する隔壁と、行電極対を被覆する誘電体層と、この誘電体層から他方の基板側に突出するとともに列方向に延びるように形成された誘電体嵩上げ部をさらに備え、
前記列電極が、誘電体層の背面の基板の厚さ方向から見て行電極の放電部とほぼ接する位置に配置されているとともに、誘電体嵩上げ部によって被覆されている請求項１に記載のプラズマディスプレイパネル。
【請求項２１】
前記列電極が、単位発光領域の隔壁の縦壁部と行電極の放電部の間の部分に対向する範囲内に配置されている請求項２０に記載のプラズマディスプレイパネル。
【請求項２２】
前記誘電体嵩上げ部の一部が隔壁の縦壁部に当接されている請求項２０に記載のプラズマディスプレイパネル。
【請求項２３】
前記列電極が、誘電体層の背面の基板の厚さ方向において隔壁の縦壁部に対向する範囲から列電極の放電発生の相手となる放電部側の縁部が単位発光領域に対向する範囲内に張り出す位置に配置されている請求項２０に記載のプラズマディスプレイパネル。
【請求項２４】
前記誘電体嵩上げ部の一部が隔壁の縦壁部に当接されている請求項２０に記載のプラズマディスプレイパネル。
【発明の詳細な説明】
【技術分野】
【０００１】
この発明は、プラズマディスプレイパネルのパネル構造に関する。
【背景技術】
【０００２】
図１ないし４は、従来のプラズマディスプレイパネル（以下、ＰＤＰという）の構成を示しており、図１はこの従来のＰＤＰの正面図、図２は図１のＶ１−Ｖ１線における断面図，図３は図１のＶ２−Ｖ２線における断面図，図４は図１のＷ−Ｗ線における断面図である。
【０００３】
この従来のＰＤＰは、図１ないし４において、表示面である前面ガラス基板１の背面に、複数の行電極対（Ｘ，Ｙ）が、前面ガラス基板１の行方向（図１の左右方向）に延びるように平行に配列されている。
【０００４】
行電極Ｘは、Ｔ字形状に形成されたＩＴＯ等の透明導電膜からなる透明電極Ｘａと、前面ガラス基板１の行方向に延びて透明電極Ｘａの狭小の基端部に接続された黒色または暗色の金属膜からなるバス電極Ｘｂによって構成されている。
【０００５】
行電極Ｙも同様に、Ｔ字形状に形成されたＩＴＯ等の透明導電膜からなる透明電極Ｙａと、前面ガラス基板１の行方向に延びて透明電極Ｙａの狭小の基端部に接続された黒色または暗色の金属膜からなるバス電極Ｙｂによって構成されている。
【０００６】
この行電極ＸとＹは、前面ガラス基板１の列方向（図１の上下方向）に交互に配列されており、バス電極ＸｂとＹｂに沿って並列されたそれぞれの透明電極ＸａとＹａが互いに対となる相手の行電極側に延びて、透明電極ＸａとＹａの幅広部の頂辺が、それぞれ所要の間隔の放電ギャップｇを介して互いに対向されている。
【０００７】
この各行電極対（Ｘ，Ｙ）によって、パネルの一表示ラインＬが構成される。
【０００８】
前面ガラス基板１の背面には、さらに、列方向において隣接する行電極対（Ｘ，Ｙ）のそれぞれの互いに背中合わせになったバス電極ＸｂとＹｂの間に、このバス電極Ｘｂ，Ｙｂに沿って行方向に延びる黒色または暗色の光吸収層（遮光層）２が形成されている。
【０００９】
そして、この前面ガラス基板１の背面に第１誘電体層３が形成されて、行電極対（Ｘ，Ｙ）および光吸収層２が被覆されている。
【００１０】
この第１誘電体層３の背面側には、列電極Ｄを構成する帯状の列電極本体部Ｄａが、行電極Ｘ，Ｙのバス電極Ｘｂ，Ｙｂに沿って行方向に等間隔に並ぶ透明電極Ｘａ，Ｙａのそれぞれの中間位置に対向する位置において行電極対（Ｘ，Ｙ）と直交する方向（列方向）に延びるように、互いに所定の間隔を開けて平行に配列されている。
【００１１】
この第１誘電体層３の背面側には、さらに、列電極Ｄを構成する帯状の列電極放電部Ｄｂが、その先端部がそれぞれ行電極対（Ｘ，Ｙ）の各透明電極ＸａとＹａ間の放電ギャップｇの中間位置に対向する位置に位置されるように、表示ラインＬごとに、各列電極本体部Ｄａの側部から行方向に延びるように一体的に形成されている。
【００１２】
そして、第１誘電体層３の背面に第２誘電体層４が形成されて、この列電極Ｄの列電極本体部Ｄａと列電極放電部Ｄｂが被覆されている。
【００１３】
この第２誘電体層４の背面側には、互いに隣接する行電極対（Ｘ，Ｙ）の背中合わせに位置するバス電極ＸｂとＹｂおよびその間に位置する光吸収層２に対向する位置に、第２誘電体層４の背面側に突出する嵩上げ誘電体層４Ａが、バス電極Ｘｂ，Ｙｂに沿って行方向に延びるように形成されている。
【００１４】
そして、この第２誘電体層４と嵩上げ誘電体層４Ａの背面側には、ＭｇＯからなる図示しない保護層が形成されている。
【００１５】
一方、前面ガラス基板１と放電空間を介して対向する背面ガラス基板５の表示側の面上には、前面ガラス基板１側の列電極本体部Ｄａと対向する位置にそれぞれ列方向に延びるように形成された帯状の縦壁６Ａと、互いに隣接する行電極対（Ｘ，Ｙ）の背中合わせに位置するバス電極ＸｂとＹｂおよびその間に位置する光吸収層２に対向する位置にそれぞれ行方向に延びるように形成された帯状の横壁６Ｂとによって構成される略格子状の隔壁６が形成されており、この隔壁６によって、前面ガラス基板１と背面ガラス基板５の間の放電空間が、各行電極対（Ｘ，Ｙ）において対となった透明電極ＸａおよびＹａに対向する部分毎に区画されて、それぞれ方形の放電セルＣが形成されている。
【００１６】
放電セルＣに面する隔壁６の縦壁６Ａおよび横壁６Ｂの側面と背面ガラス基板５の表面には、これらの五つの面を全て覆うように蛍光体層７が形成されており、この蛍光体層７の色は、各放電セルＣ毎に赤，緑，青の三原色が行方向に順に並ぶように配列されている。
【００１７】
そして、前面ガラス基板１と背面ガラス基板５の間の放電空間内には、キセノン・ガスを含む放電ガスが封入されている（例えば、特許文献１参照）。
【００１８】
上記のような構成の従来のＰＤＰは、行電極対（Ｘ，Ｙ）とアドレス電極Ｄの双方が背面ガラス基板１側に形成されるとともに、列電極Ｄの列電極本体部Ｄａと列電極放電部Ｄｂとが第１誘電体層３の背面側の同一平面内に形成されることによって、製造プロセスが簡略化されて製造コストが大幅に低減されるが、以下に述べるような問題点を有している。
【００１９】
すなわち、上記ＰＤＰの駆動時において、発光を行わせる放電セルＣを選択するためのアドレス放電ｄは、図１に示されるように、行電極Ｙの透明電極Ｙａとアドレス電極Ｄの列電極放電部Ｄｂとの間、および、透明電極Ｙａの側端部に隣接している列電極本体部Ｄａとの間で発生される。
【００２０】
しかしながら、上記従来のＰＤＰでは、アドレス電極Ｄの列電極本体部Ｄａが、行方向において隣接する他の放電セルＣに対向されている他の透明電極Ｙａとも隣接して対向されているため、この隣接する他の透明電極Ｙａとの間でも誤アドレス放電ｅｄが発生して、本来非選択の放電セルＣが選択されてしまう虞がある。
【００２１】
【特許文献１】特開２００４−３９５７８号公報
【発明の開示】
【発明が解決しようとする課題】
【００２２】
この発明は、上記のような従来の一方の基板側に行電極対と列電極の双方が配置されたＰＤＰにおいて発生する問題点を解決することをその技術的課題の一つとしている。
【課題を解決するための手段】
【００２３】
第１の発明（請求項１に記載の発明）によるＰＤＰは、上記目的を達成するために、放電空間を介して互いに対向する一対の基板と、この一対の基板のうちの一方の基板側に配置されて行方向に延びるとともに列方向に並設された複数の行電極対および列方向に延びるとともに行方向に並設された複数の列電極とを備え、放電空間内に行電極対および列電極によってそれぞれ放電が行われる複数の単位発光領域がマトリクス状に形成されているプラズマディスプレイパネルにおいて、前記行電極対を構成する互いに対になった各行電極が、単位発光領域毎にそれぞれに対応して配置されて互いに放電ギャップを介して対向される放電部を有し、前記列電極が、行電極の行方向に隣接する放電部の間の中間位置に対向するとともに、この列電極の放電発生の相手となる放電部側に、この放電発生の相手の放電部と反対側に位置する他の放電部側よりも近接した位置に配置されていることを特徴としている。
【００２４】
第２の発明（請求項５に記載の発明）によるＰＤＰは、前記目的を達成するために、放電空間を介して互いに対向する一対の基板と、この一対の基板のうちの一方の基板側に配置されて行方向に延びるとともに列方向に並設された複数の行電極対および列方向に延びるとともに行方向に並設された複数の列電極とを備え、放電空間内に行電極対および列電極によってそれぞれ放電が行われる複数の単位発光領域がマトリクス状に形成され、一対の基板の間に、少なくとも列方向に延びて放電空間内の行方向において隣接する単位発光領域の間を仕切る縦壁部を有する隔壁が形成されたプラズマディスプレイパネルにおいて、前記行電極対を構成する互いに対になった各行電極が、単位発光領域毎にそれぞれに対応して配置されて互いに放電ギャップを介して対向される放電部を有し、前記列電極が、行電極の行方向に隣接する放電部の間の中間位置に対向する位置に配置され、前記隔壁の縦壁部が、列電極に対向されるとともに、この列電極の放電発生の相手となる放電部側からこの放電発生の相手の放電部と反対側に位置する他の放電部側よりも離間した位置に配置されていることを特徴としている。
【００２５】
第３の発明（請求項８に記載の発明）によるＰＤＰは、前記目的を達成するために、放電空間を介して互いに対向する一対の基板と、この一対の基板のうちの一方の基板側に配置されて行方向に延びるとともに列方向に並設された複数の行電極対および列方向に延びるとともに行方向に並設された複数の列電極とを備え、放電空間内に行電極対および列電極によってそれぞれ放電が行われる複数の単位発光領域がマトリクス状に形成されているプラズマディスプレイパネルにおいて、前記行電極対が一方の基板の背面側に形成された誘電体層によって被覆され、この行電極対を構成する互いに対になった各行電極が、単位発光領域毎にそれぞれに対応して配置されて互いに放電ギャップを介して対向される放電部を有し、前記列電極が、行電極対を被覆する誘電体層の背面側において、行電極の行方向に隣接する放電部の間の中間位置に対向する位置に配置され、前記行電極対を被覆する誘電体層の背面側に、この誘電体層から他方の基板側に突出するとともに列方向に延びて列電極を被覆する誘電体嵩上げ部が形成され、この誘電体嵩上げ部が、被覆している列電極の放電発生の相手となる放電部側からこの放電発生の相手の放電部と反対側に位置する他の放電部側よりも離間した位置に配置されていることを特徴としている。
【００２６】
第４の発明（請求項１２に記載の発明）によるＰＤＰは、前記目的を達成するために、放電空間を介して互いに対向する一対の基板と、この一対の基板のうちの一方の基板側に配置されて行方向に延びるとともに列方向に並設された複数の行電極対および列方向に延びるとともに行方向に並設された複数の列電極と、この行電極対および列電極を互いに離間した状態で被覆する誘電体層とを備え、放電空間内に行電極対および列電極によってそれぞれ放電が行われる複数の単位発光領域がマトリクス状に形成されているプラズマディスプレイパネルにおいて、前記行電極対が一方の基板の背面側に形成された誘電体層によって被覆され、この行電極対を構成する互いに対になった各行電極が、単位発光領域毎にそれぞれに対応して配置されて互いに放電ギャップを介して対向される放電部を有し、前記列電極が、行電極対を被覆する誘電体層の背面側において、行電極の各単位発光領域に対応してそれぞれ配置されて行方向に隣接する放電部の間の中間位置に対向する位置に配置され、
前記行電極対を被覆する誘電体層の背面側に、この誘電体層から他方の基板側に突出するとともに列方向に延びる誘電体嵩上げ部が形成され、この誘電体嵩上げ部が、列電極とこの列電極の放電発生の相手となる放電部に対して反対側に位置する他の放電部との間に対向する位置に配置されていることを特徴としている。
【発明を実施するための最良の形態】
【００２７】
この発明によるＰＤＰは、前面ガラス基板に行電極対と列電極の双方が形成され、行電極の行方向に延びる電極本体部に沿って等間隔に並設されて行方向に互いに隣接する電極突出部の間の位置に対向する位置に列電極が配置されたＰＤＰにおいて、この列電極が、アドレス放電を発生させる正規の相手の電極突出部側にこの列電極を挟んで反対側に位置する他の電極突出部側よりも行方向において近接した位置に配置されているか、または、行方向に隣接している放電セル間を仕切るとともに列電極に対向される隔壁の縦壁が、列電極のアドレス放電を発生させる正規の相手の電極突出部側からこの列電極を挟んで反対側に位置する他の電極突出部側よりも行方向において離間した位置に配置されているか、行電極対を被覆する誘電体層の背面側に列方向に延びるとともに誘電体層の背面から突出するように形成されて列電極を被覆する嵩上げ誘電体層が、列電極のアドレス放電を発生させる正規の相手の電極突出部側からこの列電極を挟んで反対側に位置する他の電極突出部側よりも行方向において離間した位置に配置されているか、行電極対および列電極を被覆する誘電体層の背面側に列方向に延びるとともに誘電体層の背面から突出するように形成された嵩上げ誘電体層が、列電極とこの列電極のアドレス放電を発生させる正規の相手の電極突出部に対して列電極を挟んで反対側に位置する他の電極突出部との間に対向する位置に配置されているＰＤＰをその最良の実施形態としている。
【００２８】
この実施形態におけるＰＤＰは、列電極が正規の相手の電極突出部側に近接して配置されている場合に、列電極を挟んで反対側に位置する他の電極突出部と列電極との間の間隔が大きくなっているので、この他の電極突出部との間で誤放電が発生するのが防止されるようになり、隔壁の縦壁が列電極の正規の相手の電極突出部から離間した位置に配置されている場合に、列電極と他の電極突出部との間の放電経路内に介在される構造物の体積が大きくなるので、この列電極と他の電極突出部との間で放電が発生し難くなって誤放電の発生が防止されるようになり、嵩上げ誘電体層が列電極を挟んで正規の相手の電極突出部と反対側の他の電極突出部側に配置されている場合に、列電極と反対側の他の電極突出部との間の放電経路内に介在される構造物の体積が大きくなるので、この列電極と他の電極突出部との間で放電が発生し難くなって誤放電の発生が防止されるようになる。
【実施例１】
【００２９】
図５および６は、この発明によるＰＤＰの実施形態における第１実施例を示しており、図５はこの第１実施例におけるＰＤＰの一表示ラインの構成を模式的に示す正面図、図６は図５のＷ１−Ｗ１線における断面図である。
【００３０】
この図５および６において、表示面である前面ガラス基板１０の背面に、行電極対（Ｘ１，Ｙ１）が、前面ガラス基板１０の行方向（図５の左右方向）に延びるように形成されている。
【００３１】
行電極Ｘ１とＹ１は、それぞれ、互いに平行に行方向に延びる黒色または暗色の金属膜からなる帯状のバス電極Ｘ１ａ，Ｙ１ａと、このバス電極Ｘ１ａ，Ｙ１ａに沿ってそれぞれ等間隔の位置に接続されるとともに、バス電極Ｘ１ａ，Ｙ１ａから対になっている相手の行電極側に突出して、互いに放電ギャップｇ１を介して対向されるそれぞれ複数の透明電極Ｘ１ｂ，Ｙ１ｂとから構成されている。
【００３２】
そして、この前面ガラス基板１の背面に、さらに、第１誘電体層１１が形成されて、行電極対（Ｘ１，Ｙ１）が被覆されている。
【００３３】
この第１誘電体層１１の背面側には、帯状の列電極Ｄ１が、行電極Ｘ１，Ｙ１のバス電極Ｘ１ａ，Ｙ１ａに沿って行方向に等間隔に並ぶ透明電極Ｘ１ｂ，Ｙ１ｂのそれぞれの中間位置に対向する位置において行電極対（Ｘ１，Ｙ１）と直交する方向（列方向）に延びるように、互いに所定の間隔を開けて平行に配列されている。
【００３４】
この列電極Ｄ１の配置については、後で詳述する。
【００３５】
そして、第１誘電体層１１の背面に第２誘電体層１２が形成されて、列電極Ｄ１が被覆されており、さらに、この第２誘電体層１２の背面側に、ＭｇＯからなる図示しない保護層が形成されている。
【００３６】
一方、前面ガラス基板１０と放電空間を介して対向する背面ガラス基板１３の表示側の面上には、前面ガラス基板１０側の行電極Ｘ１，Ｙ１のバス電極Ｘ１ａ，Ｙ１ａに沿って行方向に等間隔に並ぶ透明電極Ｘ１ｂ，Ｙ１ｂのそれぞれの真ん中位置に対向する位置においてそれぞれ列方向に延びるように形成されて列電極Ｄ１に対向される帯状の縦壁１４Ａと、行電極Ｘ１，Ｙ１のバス電極Ｘ１ａ，Ｙ１ａに対向する位置においてそれぞれ行方向に延びるように形成された帯状の横壁１４Ｂとによって構成される略格子状の隔壁１４が形成されており、この隔壁１４によって、前面ガラス基板１０と背面ガラス基板１３の間の放電空間が、行電極対（Ｘ１，Ｙ１）において対になった透明電極Ｘ１ｂおよびＹ１ｂに対向する部分毎に区画されて、それぞれ方形の放電セルＣ１が形成されている。
【００３７】
放電セルＣ１に面する隔壁１４の縦壁１４Ａおよび横壁１４Ｂの側面と背面ガラス基板１３の表面には、これらの五つの面を全て覆うように蛍光体層１５が形成されており、この蛍光体層１５の色は、各放電セルＣ１毎に赤，緑，青の三原色が行方向に順に並ぶように配列されている。
【００３８】
そして、前面ガラス基板１０と背面ガラス基板１３の間の放電空間内には、キセノン・ガスを含む放電ガスが封入されている。
【００３９】
このＰＤＰにおいて、前述したように、隔壁１４の縦壁１４Ａは、行電極Ｙ１のバス電極Ｙ１ａに等間隔に接続されてそれぞれ互いに隣接する透明電極Ｙ１ｂの間の真ん中位置に対向されている。
【００４０】
そして、列電極Ｄ１は、隔壁１４の縦壁１４Ａに対向されているが、縦壁１４Ａの前面ガラス基板１０に平行に対向される頂面１４Ａａの行方向の幅の範囲内において、対応する放電セルＣ１の側、すなわち、アドレス放電を発生させる正規の相手となる透明電極Ｙ１ｂが対向される放電セルＣ１（図示の例では、各列電極Ｄ１に対して右側に位置する放電セルＣ１）の側に、縦壁１４Ａを挟んで隣接している他の放電セルＣ１（図示の例では、各列電極Ｄ１に対して左側に位置する放電セルＣ１）の側よりも接近するように、オフセットした位置に配置されている。
【００４１】
上記ＰＤＰは、その駆動時におけるアドレス期間において、選択的にデータ・パルスが印加される列電極Ｄ１と、この列電極Ｄ１の図において右側に位置して走査パルスが印加される行電極Ｙ１の透明電極Ｙ１ｂとの間でアドレス放電ｄ１が発生され、このアドレス放電ｄ１が発生された放電セルＣ１に対向する部分の第１誘電体層１１および第２誘電体層１２に壁電荷が形成（または、形成されていた壁電荷が消去）される。
【００４２】
このとき、前述したように、列電極Ｄ１が、縦壁１４Ａの頂面１４Ａａに対向する範囲で、アドレス放電を発生させる放電セルＣ１の側にオフセットした位置に配置されていて、アドレス放電を行う相手の透明電極Ｙ１ｂとの間の間隔ａ１が、列電極Ｄ１を挟んで反対側に隣接している他の透明電極Ｙ１ｂとの間の間隔ｂ１よりも小さくなっているので、正規の相手の透明電極Ｙ１ｂとの間におけるアドレス放電ｄ１が発生し易くなるとともに、反対側に隣接している他の透明電極Ｙ１ｂとの間で誤放電が発生するのが防止される。
【００４３】
なお、上記においては、行電極Ｘ１，Ｙ１のそれぞれの透明電極Ｘ１ｂ，Ｙ１ｂが帯状の形状に成形されている例が示されているが、図１の例のように、透明電極を略Ｔ字形状を有するように成形してもよい。
【００４４】
さらに、上記においては、列電極Ｄ１が列方向に延びる帯状部分のみによって構成されている例が示されているが、図１の例のように、列電極を、列方向に延びる列電極本体部とこの列電極本体部から行方向に延びて行電極間の放電ギャップに対向される列電極放電部とによって構成するようにしても良い。
【実施例２】
【００４５】
図７および８は、この発明によるＰＤＰの実施形態における第２実施例を示しており、図７はこの第２実施例におけるＰＤＰの一表示ラインの構成を模式的に示す正面図、図８は図７のＷ２−Ｗ２線における断面図である。
【００４６】
この図７および８において、第１誘電体層１１の背面側に形成された列電極Ｄ２は、行電極Ｘ１，Ｙ１のバス電極Ｘ１ａ，Ｙ１ａに沿って行方向に等間隔に並ぶ透明電極Ｘ１ｂ，Ｙ１ｂのそれぞれの真ん中位置に対向する位置において、それぞれ列方向に延びるように形成されている。
【００４７】
この前面ガラス基板１０側の他の部分の構成は前述した第１実施例のＰＤＰとほぼ同様であり、同一の構成部分については、図７および８において図５および６と同一の符号が付されている。
【００４８】
前面ガラス基板１０と放電空間を介して対向する背面ガラス基板１３の表示側の面上には、前面ガラス基板１０側の行電極Ｘ１，Ｙ１のバス電極Ｘ１ａ，Ｙ１ａに沿って行方向に等間隔に並ぶ透明電極Ｘ１ｂ，Ｙ１ｂのそれぞれの中間位置に対向する位置においてそれぞれ列方向に延びるように形成されて列電極Ｄ２に対向される帯状の縦壁２４Ａと、行電極Ｘ１，Ｙ１のバス電極Ｘ１ａ，Ｙ１ａに対向する位置においてそれぞれ行方向に延びるように形成された帯状の横壁２４Ｂとによって構成される略格子状の隔壁２４が形成されており、この隔壁２４によって、前面ガラス基板１０と背面ガラス基板１３の間の放電空間が、行電極対（Ｘ１，Ｙ１）において対になった透明電極Ｘ１ｂおよびＹ１ｂに対向する部分毎に区画されて、それぞれ方形の放電セルＣ２が形成されている。
【００４９】
この隔壁２４の縦壁２４Ａの形成位置については、後で詳述する。
【００５０】
放電セルＣ２に面する隔壁２４の縦壁２４Ａおよび横壁２４Ｂの側面と背面ガラス基板１３の表面には、これらの五つの面を全て覆うように蛍光体層１５が形成されており、この蛍光体層１５の色は、各放電セルＣ１毎に赤，緑，青の三原色が行方向に順に並ぶように配列されている。
【００５１】
そして、前面ガラス基板１０と背面ガラス基板１３の間の放電空間内には、キセノン・ガスを含む放電ガスが封入されている。
【００５２】
このＰＤＰにおいて、前述したように、列電極Ｄ２は、行電極Ｙ１のバス電極Ｙ１ａに等間隔に接続されてそれぞれ互いに隣接する透明電極Ｙ１ｂの間の真ん中位置に対向されており、列電極Ｄ２に隔壁２４の縦壁２４Ａが対向されている。
【００５３】
そして、この隔壁２４の縦壁２４Ａは、この縦壁２４Ａの前面ガラス基板１０に平行に対向される頂面２４Ａａが、その行方向の幅の範囲内に列電極Ｄ２が対向される状態で、図７および８において、その頂面２４Ａａに対向されている列電極Ｄ２のアドレス放電を発生させる正規の相手となる透明電極Ｙ１ｂ（図示の例では、各列電極Ｄ２に対して右側に位置する透明電極Ｙ１ｂ）よりも、列電極Ｄ２を挟んで反対側に位置している透明電極Ｙ１ｂ（図示の例では、各列電極Ｄ２に対して左側に位置する透明電極Ｙ１ｂ）側に接近するように、オフセットした位置に配置されている。
【００５４】
上記ＰＤＰは、その駆動時におけるアドレス期間において、選択的にデータ・パルスが印加される列電極Ｄ２と、この列電極Ｄ２の図において右側に位置して走査パルスが印加される行電極Ｙ１の透明電極Ｙ１ｂとの間でアドレス放電ｄ２１が発生され、このアドレス放電ｄ２が発生された放電セルＣ２に対向する部分の第１誘電体層１１および第２誘電体層１２に壁電荷が形成（または、形成されていた壁電荷が消去）される。
【００５５】
このとき、前述したように、隔壁２４の縦壁２４Ａが、その頂面２４Ａａに列電極Ｄ２が対向する範囲内において、列電極Ｄ２のアドレス放電の正規の相手の透明電極Ｙ１ｂから離間する側にオフセットした位置に配置されているので、列電極Ｄ２とその正規の相手の透明電極Ｙ１ｂに対して反対側に位置する他の透明電極Ｙ１ｂとの間で放電が発生する場合の放電経路内に介在されるＰＤＰの構成物（この場合は、縦壁２４Ａの一部）の体積が、列電極Ｄ２と正規の透明電極Ｙ１ｂとの間の放電経路内に介在される構成物の体積よりも大きくなって、列電極Ｄ２と他の透明電極Ｙ１ｂとの間で誤放電が発生するのが防止される。
【００５６】
なお、上記においては、行電極Ｘ１，Ｙ１のそれぞれの透明電極Ｘ１ｂ，Ｙ１ｂが帯状の形状に成形されている例が示されているが、図１の例のように、透明電極を略Ｔ字形状を有するように成形してもよい。
【００５７】
さらに、上記においては、列電極Ｄ２が列方向に延びる帯状部分のみによって構成されている例が示されているが、図１の例のように、列電極を、列方向に延びる列電極本体部とこの列電極本体部から行方向に延びて行電極間の放電ギャップに対向される列電極放電部とによって構成するようにしても良い。
【実施例３】
【００５８】
図９および１０は、この発明によるＰＤＰの実施形態における第３実施例を示しており、図９はこの第３実施例におけるＰＤＰの一表示ラインの構成を模式的に示す正面図、図１０は図９のＷ３−Ｗ３線における断面図である。
【００５９】
この図９および１０において、第１誘電体層１１の背面側に形成された列電極Ｄ２は、行電極Ｘ１，Ｙ１のバス電極Ｘ１ａ，Ｙ１ａに沿って行方向に等間隔に並ぶ透明電極Ｘ１ｂ，Ｙ１ｂのそれぞれの真ん中位置に対向する位置において、それぞれ列方向に延びるように形成されている。
【００６０】
以上の構成については、前述した第２実施例のＰＤＰの構成とほぼ同様であり、同一の符号が付されている。
【００６１】
第１誘電体層１１の背面側には、行電極Ｘ１，Ｙ１のバス電極Ｘ１ａ，Ｙ１ａに沿って行方向に等間隔に並ぶ透明電極Ｘ１ｂ，Ｙ１ｂのそれぞれの中間位置に対向する位置において、それぞれ列方向に延びるとともに第１誘電体層１１の背面から突出する嵩上げ誘電体層２２が形成されており、この嵩上げ誘電体層２２によって列電極Ｄ２がそれぞれ被覆されている。
【００６２】
この嵩上げ誘電体層２２の形成位置については、後で詳述する。
【００６３】
前面ガラス基板１０と放電空間を介して対向する背面ガラス基板１３の表示側の面上には、前面ガラス基板１０側の行電極Ｘ１，Ｙ１のバス電極Ｘ１ａ，Ｙ１ａに沿って行方向に等間隔に並ぶ透明電極Ｘ１ｂ，Ｙ１ｂのそれぞれの真ん中位置に対向する位置においてそれぞれ列方向に延びるように形成されて列電極Ｄ２に対向される帯状の縦壁１４Ａと、行電極Ｘ１，Ｙ１のバス電極Ｘ１ａ，Ｙ１ａに対向する位置においてそれぞれ行方向に延びるように形成された帯状の横壁１４Ｂとによって構成される略格子状の隔壁１４が形成されており、この隔壁１４によって、前面ガラス基板１０と背面ガラス基板１３の間の放電空間が、行電極対（Ｘ１，Ｙ１）において対になった透明電極Ｘ１ｂとＹ１ｂに対向する部分毎に区画されて、それぞれ方形の放電セルＣ３が形成されている。
【００６４】
背面ガラス基板１３側の以上の構成および他の部分の構成については、前述した第１実施例のＰＤＰとほぼ同様であり、図９および１０において同一の構成部分については図５および６と同一の符号が付されている。
【００６５】
このＰＤＰにおいて、前述したように、列電極Ｄ２は、行電極Ｙ１のバス電極Ｙ１ａに等間隔に接続されてそれぞれ互いに隣接する透明電極Ｙ１ｂの間の真ん中位置に対向されており、列電極Ｄ２に隔壁２４の縦壁２４Ａが対向されている。
【００６６】
そして、この列電極Ｄ２を被覆している嵩上げ誘電体層２２は、図９および１０において、列電極Ｄ２のアドレス放電を発生させる正規の相手となる透明電極Ｙ１ｂ（図示の例では、各列電極Ｄ２に対して右側に位置する透明電極Ｙ１ｂ）よりも、列電極Ｄ２を挟んで反対側に位置している透明電極Ｙ１ｂ（図示の例では、各列電極Ｄ２に対して左側に位置する透明電極Ｙ１ｂ）側に接近するように、オフセットした位置に配置されている。
【００６７】
そして、この嵩上げ誘電体層２２は、隔壁１４のそれぞれ対向する縦壁１４Ａに当接されている。
【００６８】
上記ＰＤＰは、その駆動時におけるアドレス期間において、選択的にデータ・パルスが印加される列電極Ｄ２と、この列電極Ｄ２の図において右側に位置して走査パルスが印加される行電極Ｙ１の透明電極Ｙ１ｂとの間でアドレス放電ｄ３が発生され、このアドレス放電ｄ３が発生された放電セルＣ３に対向する部分の第１誘電体層１１に壁電荷が形成（または、形成されていた壁電荷が消去）される。
【００６９】
このとき、前述したように、列電極Ｄ２を被覆している嵩上げ誘電体層２２が、列電極Ｄ２のアドレス放電の正規の相手の透明電極Ｙ１ｂから離間する側にオフセットした位置に配置されているので、列電極Ｄ２と反対側に位置する他の透明電極Ｙ１ｂとの間の放電が発生される場合の放電経路内に介在されるＰＤＰの構成物（この場合は、嵩上げ誘電体層２２の一部）の体積が、列電極Ｄ２と正規の透明電極Ｙ１ｂとの間の放電経路内に介在される構成物の体積よりも大きくなるので、この他の透明電極Ｙ１ｂとの間で誤放電が発生するのが防止される。
【００７０】
なお、上記においては、行電極Ｘ１，Ｙ１のそれぞれの透明電極Ｘ１ｂ，Ｙ１ｂが帯状の形状に成形されている例が示されているが、図１の例のように、透明電極を略Ｔ字形状を有するように成形してもよい。
【００７１】
さらに、上記においては、列電極Ｄ２が列方向に延びる帯状部分のみによって構成されている例が示されているが、図１の例のように、列電極を、列方向に延びる列電極本体部とこの列電極本体部から行方向に延びて行電極間の放電ギャップに対向される列電極放電部とによって構成するようにしても良い。
【実施例４】
【００７２】
図１１および１２は、この発明によるＰＤＰの実施形態における第４実施例を示しており、図１１はこの第３実施例におけるＰＤＰの一表示ラインの構成を模式的に示す正面図、図１２は図１１のＷ３−Ｗ３線における断面図である。
【００７３】
この図１１および１２において、第１誘電体層１１の背面側に形成された列電極Ｄ２は、行電極Ｘ１，Ｙ１のバス電極Ｘ１ａ，Ｙ１ａに沿って行方向に等間隔に並ぶ透明電極Ｘ１ｂ，Ｙ１ｂのそれぞれの真ん中位置に対向する位置において、それぞれ列方向に延びるように形成されており、第２誘電体層１２によって被覆されている。
【００７４】
以上の構成については、前述した第２実施例のＰＤＰの構成とほぼ同様であり、同一の符号が付されている。
【００７５】
第２誘電体層１２の背面側には、行電極Ｘ１，Ｙ１のバス電極Ｘ１ａ，Ｙ１ａに沿って行方向に等間隔に並ぶ透明電極Ｘ１ｂ，Ｙ１ｂのそれぞれの中間位置に対向する位置において、それぞれ列方向に延びるとともに第２誘電体層１２の背面から突出する嵩上げ誘電体層３２が形成されている。
【００７６】
この嵩上げ誘電体層３２の形成位置については、後で詳述する。
【００７７】
前面ガラス基板１０と放電空間を介して対向する背面ガラス基板１３の表示側の面上には、縦壁１４Ａと横壁１４Ｂとによって構成された略格子状の隔壁１４が形成されており、この隔壁１４によって、前面ガラス基板１０と背面ガラス基板１３の間の放電空間が、行電極対（Ｘ１，Ｙ１）において対になった透明電極Ｘ１ｂとＹ１ｂに対向する部分毎に区画されて、それぞれ方形の放電セルＣ４が形成されている。
【００７８】
背面ガラス基板１３側の以上の構成および他の部分の構成については、前述した第１実施例のＰＤＰとほぼ同様であり、図１１および１２において同一の構成部分については図５および６と同一の符号が付されている。
【００７９】
このＰＤＰにおいて、前述したように、列電極Ｄ２は、行電極Ｙ１のバス電極Ｙ１ａに等間隔に接続されてそれぞれ互いに隣接する透明電極Ｙ１ｂの間の真ん中位置に対向されており、列電極Ｄ２に隔壁２４の縦壁２４Ａが対向されている。  そして、第２誘電体層１２の背面から背面ガラス基板１３側に突出する嵩上げ誘電体層３２は、図１１および１２において、列電極Ｄ２のアドレス放電を発生させる正規の相手となる透明電極Ｙ１ｂ（図示の例では、各列電極Ｄ２に対して右側に位置する透明電極Ｙ１ｂ）よりも、列電極Ｄ２を挟んで反対側に位置している透明電極Ｙ１ｂ（図示の例では、各列電極Ｄ２に対して左側に位置する透明電極Ｙ１ｂ）側に接近するように、オフセットした位置に配置されている。
【００８０】
そして、この嵩上げ誘電体層３２は、隔壁１４のそれぞれ対向する縦壁１４Ａに当接されている。
【００８１】
上記ＰＤＰは、その駆動時におけるアドレス期間において、選択的にデータ・パルスが印加される列電極Ｄ２と、この列電極Ｄ２の図において右側に位置して走査パルスが印加される行電極Ｙ１の透明電極Ｙ１ｂとの間でアドレス放電ｄ４が発生され、このアドレス放電ｄ４が発生された放電セルＣ４に対向する部分の第１誘電体層１１および第２誘電体層１２に壁電荷が形成（または、形成されていた壁電荷が消去）される。
【００８２】
このとき、前述したように、列電極Ｄ２を被覆している嵩上げ誘電体層３２が、列電極Ｄ２のアドレス放電の正規の相手の透明電極Ｙ１ｂから離間する側にオフセットした位置に配置されているので、列電極Ｄ２と正規の相手の透明電極Ｙ１ｂの反対側に位置する他の透明電極Ｙ１ｂとの間の放電が発生する場合の放電経路内に介在されるＰＤＰの構成物（この場合は、嵩上げ誘電体層３２の一部）の体積が、列電極Ｄ２と正規の透明電極Ｙ１ｂとの間に介在される構成物の体積よりも大きくなって、列電極Ｄ２とこの他の透明電極Ｙ１ｂとの間で誤放電が発生するのが防止される。
【００８３】
なお、上記においては、行電極Ｘ１，Ｙ１のそれぞれの透明電極Ｘ１ｂ，Ｙ１ｂが帯状の形状に成形されている例が示されているが、図１の例のように、透明電極を略Ｔ字形状を有するように成形してもよい。
【００８４】
さらに、上記においては、列電極Ｄ２が列方向に延びる帯状部分のみによって構成されている例が示されているが、図１の例のように、列電極を、列方向に延びる列電極本体部とこの列電極本体部から行方向に延びて行電極間の放電ギャップに対向される列電極放電部とによって構成するようにしても良い。
【実施例５】
【００８５】
図１３および１４は、この発明によるＰＤＰの実施形態における第５実施例を示しており、図１３はこの第５実施例におけるＰＤＰの一表示ラインの構成を模式的に示す正面図、図１４は図１３のＷ５−Ｗ５線における断面図である。
【００８６】
図５および６の第１実施例の列電極が、隔壁の縦壁に対向する範囲内において、アドレス放電を発生させる相手となる透明電極側に接近するようにオフセットした位置に配置されているのに対し、この第５実施例におけるＰＤＰは、列電極Ｄ３が、それぞれ、アドレス放電を発生させる相手となる透明電極Ｙ１ｂが対向している放電セルＣ１に対向する範囲において、縦壁１４Ａに対して、アドレス放電を発生させる相手の透明電極Ｙ１ｂに接近する側（図１３および１４において右側）にオフセットした位置に配置されている。
【００８７】
なお、列電極Ｄ３は、図示のように隔壁１４の縦壁１４Ａの頂面１４Ａａに対向する範囲から完全に外れる位置に配置されていても良く、または、部分的に縦壁１４Ａの頂面１４Ａａに対向されていても良い。
【００８８】
他の部分の構成については、第１実施例の場合とほぼ同様であり、第１実施例の構成と同様の構成部分については、図１３および１４において図５および６と同一の符号が付されている。
【００８９】
上記ＰＤＰは、列電極Ｄ３が、アドレス放電を発生させる放電セルＣ１に対向する位置においてアドレス放電の相手の透明電極Ｙ１ｂ側にオフセットした位置に配置されていて、アドレス放電を行う相手の透明電極Ｙ１ｂとの間の間隔が、列電極Ｄ３を挟んで反対側に隣接している他の透明電極Ｙ１ｂとの間の間隔よりも小さくなっているので、第１実施例の場合よりも、正規の相手の透明電極Ｙ１ｂとの間におけるアドレス放電がさらに発生し易くなるとともに、反対側に隣接している他の透明電極Ｙ１ｂとの間で誤放電が発生するのが防止されるようになる。
【００９０】
なお、上記においては、行電極Ｘ１，Ｙ１のそれぞれの透明電極Ｘ１ｂ，Ｙ１ｂが帯状の形状に成形されている例が示されているが、図１の例のように、透明電極を略Ｔ字形状を有するように成形してもよい。
【００９１】
さらに、上記においては、列電極Ｄ１が列方向に延びる帯状部分のみによって構成されている例が示されているが、図１の例のように、列電極を、列方向に延びる列電極本体部とこの列電極本体部から行方向に延びて行電極間の放電ギャップに対向される列電極放電部とによって構成するようにしても良い。
【実施例６】
【００９２】
図１５および１６は、この発明によるＰＤＰの実施形態における第６実施例を示しており、図１５はこの第６実施例におけるＰＤＰの一表示ラインの構成を模式的に示す正面図、図１６は図１５のＷ６−Ｗ６線における断面図である。
【００９３】
図７および８の第２実施例の隔壁の縦壁が、列電極に対向する範囲内において、この対向している列電極のアドレス放電を発生させる相手となる透明電極と反対側に位置する透明電極の側に接近するようにオフセットした位置に配置されているのに対し、この第６実施例におけるＰＤＰは、隔壁３４の縦壁３４Ａが、列電極Ｄ２に対向する範囲から外れて、この列電極Ｄ２のアドレス放電を発生させる相手となる透明電極Ｙ１ｂと反対側に位置する透明電極Ｙ１ｂ（図１５および１６において各列電極Ｄ２の左側に位置する透明電極Ｙ１ｂ）に接近する側にオフセットした位置に配置されている。
【００９４】
なお、隔壁３４の縦壁３４Ａは、その頂面３４Ａａが、図示のように列電極Ｄ２に対向する範囲から完全に外れていても良く、または、部分的に列電極Ｄ２に対向されていても良い。
【００９５】
他の部分の構成については、第２実施例の場合とほぼ同様であり、第２実施例の構成と同様の構成部分については、図１５および１６において図７および８と同一の符号が付されている。
【００９６】
上記ＰＤＰは、隔壁３４の縦壁３４Ａが、その頂面３４Ａａが列電極Ｄ２と対向する範囲から外れた状態で、列電極Ｄ２のアドレス放電を発生させる相手の透明電極Ｙ１ｂと反対側に位置する透明電極Ｙ１ｂ側にオフセットした位置に配置されているので、列電極Ｄ２とその正規の相手の透明電極Ｙ１ｂに対して反対側に位置する他の透明電極Ｙ１ｂとの間で放電が発生する場合の放電経路内に介在されるＰＤＰの構成物（この場合は、縦壁２４Ａ）の体積が大きくなり、列電極Ｄ２と正規の相手の透明電極Ｙ１ｂとの間の放電経路内に介在される隔壁３４の部分が無くなって、第２実施例の場合よりも、列電極Ｄ２と正規の相手の透明電極Ｙ１ｂとの間でさらに放電が発生し易くなるとともに、列電極Ｄ２と反対側に位置している他の透明電極Ｙ１ｂとの間で誤放電が発生するのがさらに防止されるようになる。
【００９７】
なお、上記においては、行電極Ｘ１，Ｙ１のそれぞれの透明電極Ｘ１ｂ，Ｙ１ｂが帯状の形状に成形されている例が示されているが、図１の例のように、透明電極を略Ｔ字形状を有するように成形してもよい。
【００９８】
さらに、上記においては、列電極Ｄ２が列方向に延びる帯状部分のみによって構成されている例が示されているが、図１の例のように、列電極を、列方向に延びる列電極本体部とこの列電極本体部から行方向に延びて行電極間の放電ギャップに対向される列電極放電部とによって構成するようにしても良い。
【実施例７】
【００９９】
図１７および１８は、この発明によるＰＤＰの実施形態における第７実施例を示しており、図１７はこの第７実施例におけるＰＤＰの一表示ラインの構成を模式的に示す正面図、図１８は図１７のＷ７−Ｗ７線における断面図である。
【０１００】
図５および６の第１実施例の列電極が、隔壁の縦壁に対向する範囲内において、アドレス放電を発生させる相手となる透明電極側に接近するようにオフセットした位置に配置されているのに対し、この第７実施例におけるＰＤＰは、列電極Ｄ４が、それぞれ、隔壁１４の縦壁１４Ａに対して、アドレス放電を発生させる正規の相手の透明電極Ｙ１ｂに反対側に位置する透明電極Ｙ１ｂよりも接近する側（図１７および１８において右側）にオフセットしているとともに、前面ガラス基板１０側から見て、左側縁部が縦壁１４Ａに対向し、右側縁部がアドレス放電を発生させる相手となる透明電極Ｙ１ｂが対向している放電セルＣ１に対向する位置に配置されている。
【０１０１】
そして、行電極対（Ｘ１，Ｙ１）を被覆する第１誘電体層１１の背面側には、それぞれ列方向に延びるとともに第１誘電体層１１の背面から突出して、列電極Ｄ４を被覆する嵩上げ誘電体層４２が形成されている。
【０１０２】
この嵩上げ誘電体層４２は、列電極Ｄ４と同様に、列電極Ｄ４のアドレス放電を発生させる正規の相手の透明電極Ｙ１ｂ側（図１７および１８において右側）に接近するようにオフセットした位置に配置されているとともに、前面ガラス基板１０側から見て、左側縁部が縦壁１４Ａに当接され、右側縁部が、列電極Ｄ４のアドレス放電を発生させる相手となる透明電極Ｙ１ｂが対向している放電セルＣ１内に位置されている。
【０１０３】
他の部分の構成については、第１実施例の場合とほぼ同様であり、第１実施例の構成と同様の構成部分については、図１７および１８において図５および６と同一の符号が付されている。
【０１０４】
上記ＰＤＰは、列電極Ｄ４が、その一部がアドレス放電を発生させる放電セルＣ１に対向する側に縦壁１４Ａに対向する位置から張り出すように配置されていて、アドレス放電を行う正規の相手の透明電極Ｙ１ｂとの間の間隔が、列電極Ｄ４を挟んで反対側に隣接している他の透明電極Ｙ１ｂとの間の間隔よりも小さくなっており、さらに、列電極Ｄ４が嵩上げ誘電体層４２のみによって被覆されていて、列電極Ｄ４とアドレス放電を行う正規の相手の透明電極Ｙ１ｂとの間に介在される構造物の体積が第１実施例の場合よりも小さくなっていることにより、この正規の相手の透明電極Ｙ１ｂとの間でアドレス放電がさらに発生し易くなるので、反対側に隣接している他の透明電極Ｙ１ｂとの間で誤放電が発生するのがさらに防止されるようになる。
【０１０５】
なお、上記においては、行電極Ｘ１，Ｙ１のそれぞれの透明電極Ｘ１ｂ，Ｙ１ｂが帯状の形状に成形されている例が示されているが、図１の例のように、透明電極を略Ｔ字形状を有するように成形してもよい。
【０１０６】
さらに、上記においては、列電極Ｄ４が列方向に延びる帯状部分のみによって構成されている例が示されているが、図１の例のように、列電極を、列方向に延びる列電極本体部とこの列電極本体部から行方向に延びて行電極間の放電ギャップに対向される列電極放電部とによって構成するようにしても良い。
【実施例８】
【０１０７】
図１９および２０は、この発明によるＰＤＰの実施形態における第８実施例を示しており、図１９はこの第８実施例におけるＰＤＰの一表示ラインの構成を模式的に示す正面図、図２０は図１９のＷ８−Ｗ８線における断面図である。
【０１０８】
この第８実施例の行電極対（Ｘ２，Ｙ２）は、前述した第１実施例の行電極対の透明電極が列方向に帯状に延びる短冊形状を有していたのに対し、透明電極Ｘ２ｂ，Ｙ２ｂが、それぞれ、幅狭の基端部がバス電極Ｘ２ａ，Ｙ２ａに接続され幅広の先端部が互いに放電ギャップを介して対向される略Ｔ字形状を備えている。
【０１０９】
そして、上述した図１７および１８の第７実施例の列電極が、一方の側が縦壁に対向し他方の側がアドレス放電を発生させる正規の相手の透明電極が対向している放電セルに対向するオフセット位置に配置されているのに対し、この第８実施例におけるＰＤＰは、列電極Ｄ５が、それぞれ、アドレス放電を発生させる正規の相手の透明電極Ｙ２ｂに反対側に位置する透明電極Ｙ２ｂよりも接近する側（図１９および２０において右側）に、前面ガラス基板１０側から見て、列電極Ｄ５の右側部が透明電極Ｙ２ｂの幅広の先端部の左側部とほぼ接する位置までオフセットし、その全幅部分が縦壁１４Ａに対向する位置から外れて、アドレス放電を発生させる正規の相手となる透明電極Ｙ１ｂが対向している放電セルＣ１に対向する位置に配置されている。
【０１１０】
行電極対（Ｘ２，Ｙ２）を被覆する第１誘電体層１１の背面側には、それぞれ列方向に延びるとともに第１誘電体層１１の背面から突出して、列電極Ｄ５を被覆する嵩上げ誘電体層５２が形成されている。
【０１１１】
この嵩上げ誘電体層５２は、前面ガラス基板１０側から見て、左側縁部が縦壁１４Ａに当接され、列電極Ｄ５を被覆している右側縁部が、列電極Ｄ５のアドレス放電を発生させる相手となる透明電極Ｙ１ｂが対向している放電セルＣ１内に位置されていて、第７実施例の場合よりも行方向に幅広に形成されている。
【０１１２】
他の部分の構成については、第１実施例の場合とほぼ同様であり、第１実施例の構成と同様の構成部分については、図１９および２０において図５および６と同一の符号が付されている。
【０１１３】
上記ＰＤＰは、列電極Ｄ５が、アドレス放電を発生させる正規の相手の透明電極Ｙ２ｂ側に、前面ガラス基板１０側から見て透明電極Ｙ２ｂの幅広の先端部とほぼ接する位置までオフセットした位置に配置されており、さらに、列電極Ｄ５が嵩上げ誘電体層５２のみによって被覆されていて、列電極Ｄ５とアドレス放電を行う正規の相手の透明電極Ｙ２ｂとの間に介在される構造物の体積が第１実施例の場合よりも小さくなって、この正規の相手の透明電極Ｙ２ｂとの間でアドレス放電がさらに発生し易くなっているので、反対側に隣接している他の透明電極Ｙ２ｂとの間で誤放電が発生するのがさらに防止されるようになる。
【０１１４】
なお、上記においては、行電極Ｘ２，Ｙ２のそれぞれの透明電極Ｘ２ｂ，Ｙ２ｂが略Ｔ字形状に成形されている例が示されているが、第１実施例の場合のように、透明電極を列方向に帯状に延びる短冊形状に成形してもよい。
【０１１５】
さらに、上記においては、列電極Ｄ５が列方向に延びる帯状部分のみによって構成されている例が示されているが、図１の例のように、列電極を、列方向に延びる列電極本体部とこの列電極本体部から行方向に延びて行電極間の放電ギャップに対向される列電極放電部とによって構成するようにしても良い。
【実施例９】
【０１１６】
図２１および２２は、この発明によるＰＤＰの実施形態における第９実施例を示しており、図２１はこの第９実施例におけるＰＤＰの一表示ラインの構成を模式的に示す正面図、図２２は図２１のＷ９−Ｗ９線における断面図である。
【０１１７】
上述した図２１および２２の第８実施例の列電極が、基板の厚さ方向から見て透明電極の幅広の先端部とほぼ接する位置までオフセットして、その全幅部分が隔壁の縦壁に対向する位置から外れて、アドレス放電を発生させる正規の相手となる透明電極が対向している放電セルに対向する位置に配置されていたのに対し、この第９実施例におけるＰＤＰは、列電極Ｄ６が、それぞれ、アドレス放電を発生させる正規の相手の透明電極Ｙ２ｂに反対側に位置する透明電極Ｙ２ｂよりも接近する側（図２１および２２において右側）の、前面ガラス基板１０側から見て、透明電極Ｙ２ｂの幅広の先端部にほぼ接する位置までオフセットするとともに、図２１および２２において左側縁部が隔壁１４の縦壁１４Ａに対向し右側縁部がアドレス放電を発生させる正規の相手の透明電極Ｙ２ｂが対向している放電セルＣ１に対向するように、幅広に形成されている。
【０１１８】
行電極対（Ｘ２，Ｙ２）を被覆する第１誘電体層１１の背面側には、それぞれ列方向に延びるとともに第１誘電体層１１の背面から突出して、列電極Ｄ６を被覆する嵩上げ誘電体層６２が形成されている。
【０１１９】
この嵩上げ誘電体層６２は、前面ガラス基板１０側から見て、左側縁部が縦壁１４Ａに当接され、右側縁部が、列電極Ｄ６のアドレス放電を発生させる相手となる透明電極Ｙ２ｂが対向している放電セルＣ１内に位置されるように幅広に形成されている。
【０１２０】
他の部分の構成については、第８実施例の場合とほぼ同様であり、第８実施例の構成と同様の構成部分については、図２１および２２において図１９および２０と同一の符号が付されている。
【０１２１】
上記ＰＤＰは、列電極Ｄ６が、アドレス放電を発生させる正規の相手の透明電極Ｙ２ｂ側に、前面ガラス基板１０側から見て透明電極Ｙ２ｂの幅広の先端部とほぼ接する位置までオフセットした位置に配置されており、さらに、列電極Ｄ６が嵩上げ誘電体層６２のみによって被覆されていて、列電極Ｄ６とアドレス放電を行う正規の相手の透明電極Ｙ２ｂとの間に介在される構造物の体積が第１実施例の場合よりも小さくなって、この正規の相手の透明電極Ｙ２ｂとの間でアドレス放電がさらに発生し易くなるので、反対側に隣接している他の透明電極Ｙ２ｂとの間で誤放電が発生するのがさらに防止されるようになる。
【０１２２】
なお、上記においては、行電極Ｘ２，Ｙ２のそれぞれの透明電極Ｘ２ｂ，Ｙ２ｂが略Ｔ字形状に成形されている例が示されているが、第１実施例の場合のように、透明電極を列方向に帯状に延びる短冊形状に成形してもよい。
【０１２３】
さらに、上記においては、列電極Ｄ６が列方向に延びる帯状部分のみによって構成されている例が示されているが、図１の例のように、列電極を、列方向に延びる列電極本体部とこの列電極本体部から行方向に延びて行電極間の放電ギャップに対向される列電極放電部とによって構成するようにしても良い。
【図面の簡単な説明】
【０１２４】
【図１】従来のＰＤＰの構成を示す正面図である。
【図２】図１のＶ１−Ｖ１線における断面図である。
【図３】図１のＶ２−Ｖ２線における断面図である。
【図４】図１のＷ−Ｗ線における断面図である。
【図５】この発明によるＰＤＰの実施形態における第１実施例を示す正面図である。
【図６】図５のＷ１−Ｗ１線における断面図である。
【図７】この発明によるＰＤＰの実施形態における第２実施例を示す正面図である。
【図８】図７のＷ２−Ｗ２線における断面図である。
【図９】この発明によるＰＤＰの実施形態における第３実施例を示す正面図である。
【図１０】図７のＷ３−Ｗ３線における断面図である。
【図１１】この発明によるＰＤＰの実施形態における第４実施例を示す正面図である。
【図１２】図１０のＷ４−Ｗ４線における断面図である。
【図１３】この発明によるＰＤＰの実施形態における第５実施例を示す正面図である。
【図１４】図１３のＷ５−Ｗ５線における断面図である。
【図１５】この発明によるＰＤＰの実施形態における第６実施例を示す正面図である。
【図１６】図１５のＷ６−Ｗ６線における断面図である。
【図１７】この発明によるＰＤＰの実施形態における第７実施例を示す正面図である。
【図１８】図１７のＷ７−Ｗ７線における断面図である。
【図１９】この発明によるＰＤＰの実施形態における第８実施例を示す正面図である。
【図２０】図１９のＷ８−Ｗ８線における断面図である。
【図２１】この発明によるＰＤＰの実施形態における第９実施例を示す正面図である。
【図２２】図２１のＷ９−Ｗ９線における断面図である。
【符号の説明】
【０１２５】
１０                    …前面ガラス基板（一方の基板）
１１                    …第１誘電体層（誘電体層）
１２                    …第２誘電体層（誘電体層）  
１３                    …背面ガラス基板（他方の基板）
１４，２４，３４        …隔壁
１４Ａ，２４Ａ，３４Ａ  …縦壁（縦壁部）
１４Ａａ，２４Ａａ，３４Ａａ
…頂面
２２，３２，４２，５２，６２
…嵩上げ誘電体層（誘電体層嵩上げ部）
Ｃ１，Ｃ２，Ｃ３，Ｃ４  …放電セル（単位発光領域）
Ｄ１，Ｄ２，Ｄ３，Ｄ４，Ｄ５，Ｄ６
…列電極
Ｘ１，Ｙ１，Ｘ２，Ｙ２  …行電極
Ｘ１ａ，Ｙ１ａ，Ｘ２ａ，Ｙ２ａ
…バス電極（行電極本体部）
Ｘ１ｂ，Ｙ１ｂ，Ｘ２ｂ，Ｙ２ｂ
…透明電極（放電部，行電極突出部）
ｇ１                    …放電ギャップ  
ｄ１，ｄ２，ｄ３，ｄ４  …アドレス放電
【図１】
2006302866.tif 000003
【図２】
2006302866.tif 000004
【図３】
2006302866.tif 000005
【図４】
2006302866.tif 000006
【図５】
2006302866.tif 000007
【図６】
2006302866.tif 000008
【図７】
2006302866.tif 000009
【図８】
2006302866.tif 000010
【図９】
2006302866.tif 000011
【図１０】
2006302866.tif 000012
【図１１】
2006302866.tif 000013
【図１２】
2006302866.tif 000014
【図１３】
2006302866.tif 000015
【図１４】
2006302866.tif 000016
【図１５】
2006302866.tif 000017
【図１６】
2006302866.tif 000018
【図１７】
2006302866.tif 000019
【図１８】
2006302866.tif 000020
【図１９】
2006302866.tif 000021
【図２０】
2006302866.tif 000022
【図２１】
2006302866.tif 000023
【図２２】
2006302866.tif 000024